(57)【要約】【課題】記録部に対してアクセスが行われない時、記録部の電源だけでなく、記録部に対するアクセスのために使用される部分の電源をも遮断することによって、省電力効果をより一層向上させる。又、オペレーティングシステムやデバイスドライバ等のソフトウエアも、この記録部の接続そのものがないものとして処理し、不必要な電源投入時の設定処理等を行うことなく、本体電源投入時の立ち上げ時間を短縮する。【解決手段】記録媒体に情報を記録する記録部と、スイッチと、電源部と、オペレーティングシステムと、デバイスドライバとを有し、電源部は記録部とコンピュータとに対する電源の供給を個別に制御する機能を有し、記録部に記録媒体が装着されていない状態の時に、スイッチの状態に対応して電源部は記録部に対する電源の供給だけをオンオフすると同時に、デバイスドライバは記録部の接続がないものとして登録する。【選択図】図２
2005208966.tif 000002
【特許請求の範囲】
【請求項１】
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記オペレーティングシステムの一部又は外部に前記記録部を制御するソフトウエアであるデバイスドライバを更に有し、
前記電源部は前記記録部と前記コンピュータとに対する電源の供給を個別に制御する機能を有し、
前記記録部に前記着脱可能な記録媒体が装着されていない状態の時に、前記スイッチの状態に対応して前記電源部は前記記録部に対する電源の供給だけをオンオフすると同時に、前記デバイスドライバは前記記録部の接続がないものとして登録する、
情報処理装置。
【請求項２】
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記オペレーティングシステムの一部又は外部に前記記録部を制御するソフトウエアであるデバイスドライバを更に有し、
前記電源部は前記記録部と前記コンピュータとに対する電源の供給を個別に制御する機能を有し、
前記スイッチの状態に対応して前記電源部は前記記録部に対する電源の供給だけをオンオフすると同時に、前記デバイスドライバは前記記録部の接続がないものとして登録する、
情報処理装置。
【請求項３】
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記電源部は前記記録部と前記コンピュータとに対する電源の供給を個別に制御する機能を有し、
前記スイッチの状態に対応して前記電源部は前記記録部に対する電源の供給だけをオンオフすると同時に、前記オペレーティングシステムは前記記録部の接続がないものとして処理を実行する、
情報処理装置。
【請求項４】
前記記録部は固定式の記録媒体に情報を記録する記録部である、
請求項２又は請求項３の何れか１項に記載の情報処理装置。
【請求項５】
前記スイッチは利用者が操作可能なスイッチ或いはソフトウエアによって制御されるスイッチの何れか一方又は両方である、
請求項１から請求項４の何れか１項に記載の情報処理装置。
【請求項６】
着脱可能な記録媒体に情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
前記記録部に前記着脱可能な記録媒体が装着されていない状態の時に、前記ソフトウエアによって行われる前記コンピュータの制御によって前記記録部に対する電源の供給だけをオフする、
情報処理装置。
【請求項７】
着脱可能な記録媒体に情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
前記着脱可能な記録媒体の着脱部の状態に応じて、前記ソフトウエアによって行われる前記コンピュータの制御によって前記記録部に対する電源の供給を制御する、
情報処理装置。
【請求項８】
情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
所定の期間継続して前記記録部に対するアクセスが行われない状態の時に、前記ソフトウエアによって行われる前記コンピュータの制御によって前記記録部に対する電源の供給だけをオフする、
情報処理装置。
【請求項９】
前記記録部は光学的原理或いは磁気的原理の何れか一方又は両方によってディスク形状の記録媒体に情報を記録する記録部である、
請求項１から請求項８の何れか１項に記載の情報処理装置。
【請求項１０】
前記電源部は電池によって駆動される電源部である、
請求項１から請求項９の何れか１項に記載の情報処理装置。
【請求項１１】
前記情報処理装置はノート型パソコン又は携帯情報端末又は携帯電話又は携帯型位置計測装置又は携帯型音楽再生装置又は携帯型映像再生装置又はこれらの機器の機能の一部又は全部の１つ又は複数を行う情報処理装置である、
請求項１から請求項１０の何れか１項に記載の情報処理装置。
【発明の詳細な説明】
【技術分野】
【０００１】
本特許出願は、記録媒体に情報を記録する記録部と、記録部とコンピュータとに電源を供給する電源部と、コンピュータを制御するためのソフトウエアであるオペレーティングシステムとを有する情報処理装置であって、電源部は記録部とコンピュータとに対する電源の供給を制御する機能を有する情報処理装置に関するものである。
【背景技術】
【０００２】
従来の、電源部が記録部とコンピュータとに対する電源の供給を制御する機能を有する情報処理装置には、例えば下記特許文献１に記載のパーソナルコンピュータがあった。
【０００３】
この従来技術は、バッテリ又はＡＣ駆動可能なコンピュータ・システムにおいて、システム立ち上げ時に、レジュームモードとＨＤＤ（ハードディスク・ドライブ）へのオートパワーオフ・モードとが設定されていた際に、前記システムへの電源供給のためのＡＣアダプタが接続されているか否かを判断する手段と、システム立ち上げ時、システムにＡＣアダプタが接続されていない時、前記ＨＤＤに対してモータの駆動を停止する手段とを具備し、ＡＣアダプタが接続されていない場合においてのみ、ＨＤＤに対してモータの駆動を停止し、バッテリ駆動時間の延長を図ったことを特徴とするものである。
【０００４】
図７はこの従来の例における、電源オンに伴う初期化ルーチンを示すフローチャートである。
【０００５】
本体装置に電源が投入されると（Ｓ９０１）マイコンはＢＩＯＳ−ＲＯＭをアクセスし、図７に示す初期化ルーチンの処理を開始する。
【０００６】
最初に時計モジュール内のバッテリバックアップされたメモリに保存されたセットアップデータを参照し、レジュームモードがイネーブルになっているか否かを判断する（Ｓ９０２）。
【０００７】
もしもレジュームモードがイネーブルになっていなければ、即ちレジュームモードがディセーブルになっていれば、通常のブート（ＢＯＯＴ）処理を実行する（Ｓ９０７）。
【０００８】
もしもレジュームモードがイネーブルになっていれば、次にＡＣアダプタが接続されているか否かを判断する（Ｓ９０３）。
【０００９】
この時、マイコンはＩ／Ｏコントローラを介して、インテリジェントパワーサプライのパワーコントロールマイコンから電源状態情報を受け取り、この情報から装置が現在、内蔵しているメインバッテリによって駆動されているのか、ＡＣ電源を使用した駆動であるかを認識することができる。
【００１０】
もしもＡＣアダプタが使われていない、即ちメインバッテリによる駆動状態であると認識すると、次に上記時計モジュール内のメモリに保存されたセットアップデータを参照し、ＨＤＤオートパワーオフモードイネーブルになっているか否かを判断する（Ｓ９０４）。
【００１１】
もしもＨＤＤオートパワーオフ・モードがイネーブルになっていたならば、ＨＤＤインターフェースに対してＨＤＤモータオフ・コマンドを送出し（Ｓ９０５）、このＨＤＤモータオフ・コマンドをＨＤＤインターフェース内のインターフェイス・レジスタにセットする。
【００１２】
ＨＤＤ本体は、ＨＤＤインターフェースのインターフェイス・レジスタにセットされたＨＤＤモータオフ・コマンドを受け取ると、ＨＤＤモータの駆動電源を遮断し、ＨＤＤモータの駆動を停止する。
【００１３】
マイコンは、バックアップＲＡＭ（Ｂ−ＲＡＭ）に格納されている電源遮断直前のデータに従って装置を電源遮断直前の状態に戻し、電源遮断直前の状態から作業を開始することのできる状態に設定する（Ｓ９０６）。
【００１４】
以上説明したレジューム機能によって、電源遮断直前の状態から作業を開始することのできる状態にした後、オペレータのキー操作等に伴うＨＤＤへのアクセスが発生すると、マイコンは上記ＨＤＤインターフェース内のインターフェイス・レジスタにセットされた、ＨＤＤモータオフ・コマンドの解除を行う。
【００１５】
ＨＤＤモータオフ・コマンドの解除によって、ＨＤＤモータ駆動電源の遮断状態が解除され、ＨＤＤモータの駆動が開始されてＨＤＤ本体が起動される。
【００１６】
ＨＤＤオートパワーオフ・モードがイネーブルとなっている時に、キー入力等の操作が設定時間内になかったならば、ＨＤＤモータオフ・コマンドがＨＤＤインターフェース内のインターフェイス・レジスタにセットされ、このコマンドに従ってＨＤＤモータが停止状態になる。
【００１７】
又、図７に示す電源オン時の初期化ルーチンで、レジュームモードはイネーブルであるが（Ｓ９０２でＹｅｓ）、ＡＣアダプタによる駆動であったならば（Ｓ９０３でＹｅｓ）、ＨＤＤモータオフ・コマンドは出力されず、本体の電源投入と同時にＨＤＤ本体が起動される。
【００１８】
又、レジュームモードがイネーブルで（Ｓ９０２でＹｅｓ）、且つ内蔵しているメインバッテリによって駆動されている時であっても、ＨＤＤオートパワーオフ・モードがディセーブルであるならば（Ｓ９０４でＮｏ）、上と同様にＨＤＤモータオフ・コマンドは出力されず、上と同様に電源投入と同時にＨＤＤ本体が起動される。
【００１９】
以上説明したように、この従来のパーソナルコンピュータでは、レジューム機能がイネーブルで、且つＨＤＤオートパワーオフ・モードがイネーブルになっているならば、本体の電源が投入されてから、キー操作等によってＨＤＤをアクセスするコマンドが発生するまでの間は、ＨＤＤのモータが駆動されないために、ＨＤＤのオートパワーオフ機能による省電力がより強化され、ＨＤＤが消費する無駄な電力を大幅に節減し、長時間に及ぶバッテリ駆動が可能となる。
【特許文献１】特開平３−１１６３１５号公報
【発明の開示】
【発明が解決しようとする課題】
【００２０】
しかしながらこのような従来の情報処理装置では、ＨＤＤオートパワーオフ・モードをイネーブルにしておけば、本体装置の電源が投入された時、ＡＣアダプタが接続されていなければＨＤＤモータの駆動電源を遮断し、省電力機能を強化することができる一方、ＨＤＤインターフェースは使用しないにも拘らず電源がオンされた状態に維持され、待機電力のロスを生じていた。
【００２１】
ＨＤＤインターフェース部の電源をオフしてしまうと、その回路部分が欠落するため短絡を起こしてしまうためである。
【００２２】
ＨＤＤインターフェース部を含めてＨＤＤ自体を取り外してしまえばこのような問題は起こらないが、それには取り外しや再取り付けのような作業をしなければならず、通常一般の利用者には困難であるし、故障を引き起こす原因にもなり得る。
【００２３】
更にそれだけでなく、オペレーティングシステムやデバイスドライバ等のソフトウエアはＨＤＤが接続された状態であると判断し、何時でも使用可能とするための準備を行うので、そのために本体電源投入時の立ち上げ時間が不必要に長くなるという課題を有していた。
【００２４】
その上、オペレーティングシステムやデバイスドライバの構成によっては、ＨＤＤを何時でも使用可能であるように準備するため、そのファイル構成を確認したり、一部を主記憶装置に読み込むためにＨＤＤに対してアクセスを行うことがあり、このアクセスによって結局ＨＤＤモータの駆動電源はオンされてしまい、上記のようなＨＤＤオートパワーオフ・モードは実質的に機能しないという欠点を有していた。
【００２５】
更に又、ユーザが予めＨＤＤオートパワーオフ・モードをイネーブルにしなかった時には、省電力機能は働かず、ＨＤＤは使用しないにも拘らずＨＤＤモータは駆動され続け、省電力機能を発揮させるには必ずユーザが予めＨＤＤオートパワーオフ・モードをイネーブルにすることが必要であった。
【課題を解決するための手段】
【００２６】
本特許出願に係る発明は、このような課題を解決するために行われたものであり、以下のような手段から構成される。
【００２７】
本発明の請求項１に記載された発明は、
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記オペレーティングシステムの一部又は外部に前記記録部を制御するソフトウエアであるデバイスドライバを更に有し、
前記電源部は前記記録部と前記コンピュータとに対する電源の供給を個別に制御する機能を有し、
前記記録部に前記着脱可能な記録媒体が装着されていない状態の時に、前記スイッチの状態に対応して前記電源部は前記記録部に対する電源の供給だけをオンオフすると同時に、前記デバイスドライバは前記記録部の接続がないものとして登録する、
情報処理装置である。
【００２８】
本発明の請求項２に記載された発明は、
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記オペレーティングシステムの一部又は外部に前記記録部を制御するソフトウエアであるデバイスドライバを更に有し、
前記電源部は前記記録部と前記コンピュータとに対する電源の供給を個別に制御する機能を有し、
前記スイッチの状態に対応して前記電源部は前記記録部に対する電源の供給だけをオンオフすると同時に、前記デバイスドライバは前記記録部の接続がないものとして登録する、
情報処理装置である。
【００２９】
本発明の請求項３に記載された発明は、
着脱可能な記録媒体に情報を記録する記録部と、
スイッチと、
コンピュータと、
前記記録部と前記コンピュータとに電源を供給する電源部と、
前記コンピュータを制御するためのソフトウエアであるオペレーティングシステムとを有し、
前記電源部は前記記録部と前記コンピュータとに対する電源の供給を個別に制御する機能を有し、
前記スイッチの状態に対応して前記電源部は前記記録部に対する電源の供給だけをオンオフすると同時に、前記オペレーティングシステムは前記記録部の接続がないものとして処理を実行する、
情報処理装置である。
【００３０】
本発明の請求項４に記載された発明は、
前記記録部は固定式の記録媒体に情報を記録する記録部である、
請求項２又は請求項３の何れか１項に記載の情報処理装置である。
【００３１】
本発明の請求項５に記載された発明は、
前記スイッチは利用者が操作可能なスイッチ或いはソフトウエアによって制御されるスイッチの何れか一方又は両方である、
請求項１から請求項４の何れか１項に記載の情報処理装置である。
【００３２】
本発明の請求項６に記載された発明は、
着脱可能な記録媒体に情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
前記記録部に前記着脱可能な記録媒体が装着されていない状態の時に、前記ソフトウエアによって行われる前記コンピュータの制御によって前記記録部に対する電源の供給だけをオフする、
情報処理装置である。
【００３３】
本発明の請求項７に記載された発明は、
着脱可能な記録媒体に情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
前記着脱可能な記録媒体の着脱部の状態に応じて、前記ソフトウエアによって行われる前記コンピュータの制御によって前記記録部に対する電源の供給を制御する、
情報処理装置である。
【００３４】
本発明の請求項８に記載された発明は、
情報を記録する記録部と、
コンピュータと、
前記記録部と前記コンピュータとに電源を供給する電源部と、
前記コンピュータを制御するためのソフトウエアとを有し、
前記電源部は前記記録部と前記コンピュータとに対する電源の供給を個別に制御する機能を有し、
所定の期間継続して前記記録部に対するアクセスが行われない状態の時に、前記ソフトウエアによって行われる前記コンピュータの制御によって前記記録部に対する電源の供給だけをオフする、
情報処理装置である。
【００３５】
本発明の請求項９に記載された発明は、
前記記録部は光学的原理或いは磁気的原理の何れか一方又は両方によってディスク形状の記録媒体に情報を記録する記録部である、
請求項１から請求項８の何れか１項に記載の情報処理装置である。
【００３６】
本発明の請求項１０に記載された発明は、
前記電源部は電池によって駆動される電源部である、
請求項１から請求項９の何れか１項に記載の情報処理装置である。
【００３７】
本発明の請求項１１に記載された発明は、
前記情報処理装置はノート型パソコン又は携帯情報端末又は携帯電話又は携帯型位置計測装置又は携帯型音楽再生装置又は携帯型映像再生装置又はこれらの機器の機能の一部又は全部の１つ又は複数を行う情報処理装置である、
請求項１から請求項１０の何れか１項に記載の情報処理装置である。
【発明の効果】
【００３８】
本特許出願に係る発明は上記のような構成を採ることによって、記録部に対してアクセスが行われない時、その記録部自身の電源だけでなく、その記録部に対するアクセスのために使用される部分の電源をも遮断することによって、省電力性能をより一層向上させることができる。
【００３９】
又、オペレーティングシステムやデバイスドライバ等のソフトウエアも、この記録部の接続そのものがないものとして処理するため、不必要な電源投入時の設定処理等を行うことがなく、本体電源投入時の立ち上げ時間を短縮することができる。
【００４０】
又、本体電源投入時の設定処理のために記録部にアクセスを行い、結局そのために記録部の電源をオンしてしまうということも生じない。
【００４１】
更に又、ユーザが予め何の操作をしなかったとしても、自動的に記録部に記録媒体が装着されていない時や、一定時間アクセスが行われない時には、記録部と記録部に対するアクセスのために使用される部分の電源をも完全に遮断し、省電力化をより確実なものとすることができる。
【発明を実施するための最良の形態】
【００４２】
以下に本発明の実施の形態について、図面を参照しながら説明する。
【００４３】
（第一の実施の形態）
図１は本発明に係る情報処理装置の第一の実施の形態であるノート型パソコン１００の主要部の斜視図である。尚、この実施の形態では本発明に係る情報処理装置の一例としてノート型パソコン１００について説明するが、本発明に係る情報処理装置は必ずしもノート型パソコン１００に限るものではなく、例えばＰＤＡと呼ばれることもある携帯情報端末や、ＰＨＳを含む携帯電話や、例えばＧＰＳ原理に基づく携帯型位置計測装置や、デジタル化され且つ圧縮された或いはデジタル化されていない又は圧縮されていないこともある音楽を録音或いは再生する携帯型音楽再生装置や、デジタル化され且つ圧縮された或いはデジタル化されていない又は圧縮されていないこともある映像を録画或いは再生する携帯型映像再生装置や、はこれらの機器の機能の一部又は全部の１つ又は複数を行う情報処理装置や、その他各種の業務用或いは家庭用或いはこれらを兼ね備えた機器の一部又は全部であっても構わない。
【００４４】
このノート型パソコン１００は、着脱可能な記録媒体であるＣＤ記録メディア１１６に情報を記録する記録部としてＣＤドライブ１１４を有している。この実施の形態では記録部の一例として、例えばＣＤドライブ１１４について説明するが、必ずしも本発明に係る記録部はＣＤドライブ１１４に限るものではなく、例えば記録媒体が着脱可能なＦＤ（フロッピー（Ｒ）ディスク）や、ＭＯや、ＤＶＤのようなディスク形状の記録媒体に、磁気的原理或いは光学的原理或いは化学的原理或いは物理的原理或いはこれらの幾つかを組み合わせた原理によって情報を記録するものならば何でも構わないし、例えばＨＤＤのように記録媒体が必ずしも着脱可能ではない記録媒体に同様の原理によって情報を記録するものであっても構わない。
【００４５】
ＣＤドライブ１１４は、ノート型パソコン１００の本体筐体１０２内に収納され、ＣＤドライブ開放スイッチ１１８の操作によって操作者の手前前方（図１の左下方）に本体筐体１０２内から擦出し、ＣＤ記録メディア１１６を着脱することができる。
【００４６】
ノート型パソコン１００は、このノート型パソコン自体の主要部、例えば表示部筐体１０８内に装着された表示パネル１０４や、本体筐体１０２に搭載されているキーボード１０６や、本体筐体１０２に内蔵されているメイン基板（図示せず）や、そのメイン基板に搭載されているマイコン（図示せず）を含む各種部品（図示せず）や、その他の各種部品が動作するための電源を供給する第一の電源部（図示せず）を内蔵している。
【００４７】
ノート型パソコン１００は、ＣＤドライブ１１４が動作するための電源を供給する第二の電源部２６０（図１には示さないが、図２には示す）をも有している。
【００４８】
上記２つの電源部は唯１つの第三の電源部（図示せず）が両者の機能を兼ね備えたものであっても構わないし、３つ以上の電源部を含んでいても構わない。しかし以下の説明では簡単のため上記第一の電源部と第二の電源部２６０を有しているものとして説明する。もしも両者を兼ね備えた第三の電源部を有している時にはそれぞれの部分を分け、仮想的な第一の電源部或いは仮想的な第二の電源部２６０と考えればよい。
【００４９】
但し、どのような形態であったとしても、これらの電源部は、ＣＤドライブ１１４が動作するための電源と、その他の各種部品が動作するための電源を、個別にオンオフする機能を有している。
【００５０】
或いは、より細かく区分して、それぞれの部品が動作するための電源を個別にオンオフする機能を有していても構わない。
【００５１】
更にこのノート型パソコン１００は、不揮発性の記憶部、例えばＨＤＤ記憶装置（図示せず）やフラッシュメモリ（図示せず）やＲＯＭ（リード・オンリー・メモリ）（図示せず）やその他と、揮発性の記憶部、例えばＤＲＡＭ（ダイナミック・ランダム・アクセス・メモリ）（図示せず）やＳＲＡＭ（スタティック・ランダム・アクセス・メモリ）（図示せず）やその他を内蔵している。
【００５２】
ユーザが本体電源スイッチ１１２を操作することで、ノート型パソコン１００の電源がオンされると、ノート型パソコン１００の上記第一の電源部がオンされ、このノート型パソコン自体の主要部、例えば表示部筐体１０８内に装着された表示パネル１０４や、本体筐体１０２に搭載されているキーボード１０６や、本体筐体１０２に内蔵されているメイン基板（図示せず）や、そのメイン基板に搭載されているマイコン（図示せず）を含む各種部品（図示せず）や、その他の各種部品に、これらが動作するための電源を供給する。
【００５３】
マイコンは上記不揮発性の記憶部、例えばＲＯＭに記憶しているソフトウエアの起動によって、更に不揮発性の記憶部、例えばＨＤＤに記憶しているソフトウエアである、例えばＯＳ（オペレーティング・システム）を読み出し、コンピュータとしての基本的な機能を実現する。
【００５４】
この時、ＯＳが起動されると、ＯＳはノート型パソコン１００が有している各種ハードウエアや各種ソフトウエアの全部或いは一部が正常であるかどうかのチェックを行い、正常であることが確認された時にコンピュータとしての基本的な機能を実現し、その一部又は全部が正常でないことを検出した時にはその旨を表示或いは何等かの方法によってユーザに知らせ、コンピュータとしての基本的な機能を実現しないこともある。
【００５５】
このノート型パソコン１００は更にエコスイッチ１２０を備えている。このエコスイッチ１２０は上記ＣＤドライブ１１４に電源を供給する第二の電源部２６０を、上記第一の電源部と個別にオンオフするものであり、利用者の操作によってオンオフされるものと、ソフトウエア２３０、例えばアプリケーション・プログラムやその他の各種ソフトウエアの制御によって、信号線２５０を介し、電子的にオンオフされるものとがある。
【００５６】
例えばこのノート型パソコン１００の本体電源スイッチ１１２がオンされた時の処理シーケンスで、或いはその後の処理シーケンスで、このエコスイッチ１２０がオンされた、或いはオンされていたとする。
【００５７】
これによって図３に示すＣＤドライブ１１４のパワーオン・シーケンスが開始される（Ｓ３０１）。
【００５８】
このＣＤドライブ１１４のパワーオン・シーケンスに関係するノート型パソコン１００の主要部の回路図を図２に示し、このＣＤドライブ１１４のパワーオン・シーケンスの主要な手続きの流れを図３に示す。
【００５９】
そしてこの図２と図３を参照しながら、ＣＤドライブ１１４のパワーオン・シーケンスの主な処理の流れを説明する。
【００６０】
まず最初に、このようにエコスイッチ１２０がオンされていた、或いはオンされたとする（Ｓ３０３）と、このエコスイッチ１２０のオン状態を示す情報がエコスイッチ１２０からマイコン２２０へ、図２の信号線２５１を経由して通知される（Ｓ３０５）。
【００６１】
尚、ここでマイコン２２０と呼ぶものは、一般的にマイコンと呼ばれるもの以外にも、システムコントローラや、ＣＰＵや、ＭＰＵや、プロセッサや、コンピュータや、マイコンコアや、ＤＳＰや、その他種々の呼称で呼ばれるものがあるが、これらのどれであってもよいし、本発明はこれらや、その他の手段の全てを含むものである。
【００６２】
エコスイッチ１２０のオン状態の通知を受けたマイコン２２０は、そのことを信号線２５２を経由してソフトウエア２３０の一部であるＢＩＯＳ２２２に通知する（Ｓ３０７）。
【００６３】
尚、このソフトウエアは上記コンピュータとしての基本的な機能を実現するための、不揮発性の記憶部に記憶しているソフトウエアや、このソフトウエアの起動によって読み出される不揮発性の記憶部に記憶しているソフトウエアである、例えばＯＳや、各種アプリケーション・プログラムや、その他の各種プログラムを含むものである。
【００６４】
又、図２では、このソフトウエアの中にＯＳ２２４とＢＩＯＳ２２２とが個別に独立して存在するように表現しているが、必ずしもＯＳ２２４とＢＩＯＳ２２２とがこのように個別に独立して存在しなければならないのではなく、例えばＢＩＯＳ２２２はＯＳ２２４の一部であっても構わないし、その逆であっても構わないし、ＯＳ２２４とＢＩＯＳ２２２とが渾然一体として存在しても構わない。
【００６５】
このエコスイッチ１２０のオン状態の通知を受けたＢＩＯＳ２２２は、Ｉ／Ｏコントローラ２２６を介して、ＣＤドライブ１１４のその時点における電源オンオフ状態を確認する（Ｓ３０９）。
【００６６】
このＣＤドライブ１１４のパワーオン・シーケンスが、本体電源スイッチ１１２のオンと同時に実行される時は、通常ＣＤドライブ１１４の電源は未だオンされていないので、この時点におけるＣＤドライブ１１４の電源オンオフ状態は、通常オフである。しかし何等かの実施の形態によっては、この時点におけるＣＤドライブ１１４の電源オンオフ状態がオンであったとしても構わない。
【００６７】
もしもこの時点におけるＣＤドライブ１１４の電源オンオフ状態がオンであったならば（Ｓ３１１でＯＮ）、そのまま何も行わずにこのＣＤドライブ１１４のパワーオン・シーケンスは終了する（Ｓ３１３）。
【００６８】
もしもこの時点におけるＣＤドライブ１１４の電源オンオフ状態がオフであったならば（Ｓ３１１でＯＦＦ）、ＢＩＯＳ２２２は信号線２５２と信号線２５３とを経由して、Ｉ／Ｏコントローラ２２６にＣＤドライブ１１４の電源をオンするよう、指示を行う（Ｓ３１５）。又、この指示を行うのは、マイコン２２０を経由して行うものであったり、マイコン２２０にも指示を行う実施の形態であっても構わない。
【００６９】
この指示を受けたＩ／Ｏコントローラ２２６は、まず図２に示すＤｒｉｖｅＰｏｗｅｒＯＮ信号をアクティブに設定することによって、第二の電源部２６０からＣＤドライブインターフェース２２８とＣＤドライブ１１４とに対する、電源の供給を開始する（Ｓ３１７）。
【００７０】
次にＢＩＯＳ２２２は、Ｉ／Ｏコントローラ２２６内の所定のレジスタ２２７に予め定められた値を書き込むことによって、信号線２５４を経由して駆動回路２２９をオンし、Ｉ／Ｏコントローラ２２６とＣＤドライブインターフェース２２８との間の制御信号（ＳＤＤ）を接続する（Ｓ３１９）。
【００７１】
次にＢＩＯＳ２２２は、信号線２５２と信号線２５３とを経由してマイコン２２０からＩ／Ｏコントローラ２２６に指示を行い、ＣＤＩＲＱＯＮ信号２５５をアクティブにすることによって、Ｉ／Ｏコントローラ２２６とＣＤドライブインターフェース２２８との間のＩＲＱ接続を行う（Ｓ３２１）。このＩＲＱ接続とは、例えばＩＲＱ１５割り込み信号ラインを使用して、ＣＤドライブ１１４制御用の割り込み信号を送受信可能な状態にすることをいう。
【００７２】
次にＢＩＯＳ２２２は、信号線２５２と信号線２５３とを経由してマイコン２２０からＩ／Ｏコントローラ２２６に指示を行い、ＣＤＲＳＴ信号２５６をネゲートにすることによって、ＣＤドライブ１１４を使用可能な状態にリセット（初期化）する（Ｓ３２３）。ＣＤドライブ１１４はこの信号が入力されると、例えばディスクチェック中やデータ読み書き中や何等かのエラー状態であったとしても、これらの動作状態やエラー状態がリセットされ、何時でも動作可能な待機状態に移行する。
【００７３】
以上の処理が終わると、ＯＳ２２４がユーザに対して、ＣＤドライブ１１４は何時でも利用可能な状態になったことを通知する（Ｓ３２５）。
【００７４】
以上の一連の処理によって、このノート型パソコン１００の本体電源スイッチ１１２がオンされた時の処理シーケンスで、或いはその後の処理シーケンスで、このエコスイッチ１２０がオンされた、或いはオンされていた時の、ＣＤドライブ１１４のパワーオン・シーケンスが完了する（Ｓ３１３）。
【００７５】
次にこの逆、即ち、このノート型パソコン１００の本体電源スイッチ１１２がオンされた時の処理シーケンスで、或いはその後の処理シーケンスで、このエコスイッチ１２０がオフされた、或いはオフされていた時の、ＣＤドライブ１１４のパワーオフ・シーケンスを、図２と図４を参照しながら説明する。
【００７６】
上記の通り、例えばこのノート型パソコン１００の本体電源スイッチ１１２がオンされた時の処理シーケンスで、或いはその後の処理シーケンスで、このエコスイッチ１２０がオフされた、或いはオフされていた時に、図４に示すＣＤドライブ１１４のパワーオフ・シーケンスが開始される（Ｓ４０１）。
【００７７】
このＣＤドライブ１１４のパワーオフ・シーケンスに関係するノート型パソコン１００の主要部の回路図は、パワーオン・シーケンスと同じ図２に示され、このＣＤドライブ１１４のパワーオフ・シーケンスの主要な手続きの流れは図４に示される。
【００７８】
まず最初に、このようにエコスイッチ１２０がオフされていた、或いはオフされたとする（Ｓ４０３）と、このエコスイッチ１２０のオフ状態を示す情報がエコスイッチ１２０からマイコン２２０へ、図２の信号線２５１を経由して通知される（Ｓ４０５）。
【００７９】
エコスイッチ１２０のオフ状態の通知を受けたマイコン２２０は、そのことを信号線２５２を経由してソフトウエア２３０の一部であるＢＩＯＳ２２２に通知する（Ｓ４０７）。
【００８０】
このエコスイッチ１２０のオフ状態の通知を受けたＢＩＯＳ２２２は、Ｉ／Ｏコントローラ２２６を介して、ＣＤドライブ１１４のその時点における電源オンオフ状態を確認する（Ｓ４０９）。
【００８１】
このＣＤドライブ１１４のパワーオフ・シーケンスが、本体電源スイッチ１１２のオンと同時に実行される時は、通常ＣＤドライブ１１４の電源は未だオンされていないので、この時点におけるＣＤドライブ１１４の電源オンオフ状態は、通常オフである。しかし何等かの実施の形態によっては、この時点におけるＣＤドライブ１１４の電源オンオフ状態がオンであったとしても構わない。
【００８２】
もしもこの時点におけるＣＤドライブ１１４の電源オンオフ状態がオフであったならば（Ｓ４１１でＯＦＦ）、そのまま何も行わずにこのＣＤドライブ１１４のパワーオフ・シーケンスは終了する（Ｓ４１３）。
【００８３】
もしもこの時点におけるＣＤドライブ１１４の電源オンオフ状態がオンであったならば（Ｓ４１１でＯＮ）、ＢＩＯＳ２２２はＯＳ２２４に対して、ＣＤドライブ１１４の電源が安全に切断可能であるか否かを問い合わせる（Ｓ４１５）。
【００８４】
そしてＯＳ２２４からの返答がもしも、「ＣＤドライブ１１４の電源は安全に切断することができない」であったならば（Ｓ４１７でＮｏ）、このまま何も行わずにこのＣＤドライブ１１４のパワーオフ・シーケンスは終了する（Ｓ４１３）。
【００８５】
ＯＳ２２４からの返答がもしも「ＣＤドライブ１１４の電源は安全に切断することができる」であったならば（Ｓ４１７でＹｅｓ）、ＢＩＯＳ２２２は、信号線２５２と信号線２５３とを経由してマイコン２２０からＩ／Ｏコントローラ２２６に指示を行い、ＣＤＩＲＱＯＮ信号２５５を非アクティブにすることによって、Ｉ／Ｏコントローラ２２６とＣＤドライブインターフェース２２８との間のＩＲＱ切断を行う（Ｓ４１９）。このＩＲＱ切断とは、例えばＩＲＱ１５割り込み信号ラインとＣＤドライブインターフェース間の接続状態を遮断し、ＣＤドライブ１１４制御用の割り込み信号を送受信不能な状態にすることをいう。
【００８６】
次にＢＩＯＳ２２２は、信号線２５２と信号線２５３とを経由してマイコン２２０からＩ／Ｏコントローラ２２６に指示を行い、ＣＤＲＳＴ信号２５６をアサートにすることによって、ＣＤドライブ１１４を切断可能な状態にリセット（初期化）する（Ｓ４２１）。
【００８７】
次にＢＩＯＳ２２２は、Ｉ／Ｏコントローラ２２６内の所定のレジスタ２２７に予め定められた値を書き込むことによって、信号線２５４を経由して駆動回路２２９をオフし、Ｉ／Ｏコントローラ２２６とＣＤドライブインターフェース２２８との間の制御信号（ＳＤＤ）を切断する（Ｓ４２３）。
【００８８】
最後にＢＩＯＳ２２２は、信号線２５２と信号線２５３とを経由してＩ／Ｏコントローラ２２６に電源供給停止の指示を行い（Ｓ４２５）、この指示を受けたＩ／Ｏコントローラ２２６は、図２に示すＤｒｉｖｅＰｏｗｅｒＯＮ信号を非アクティブに設定することによって、第二の電源部２６０からＣＤドライブインターフェース２２８とＣＤドライブ１１４とに対する、電源の供給を停止する（Ｓ４２５）。
【００８９】
又、この指示を行うのは、マイコン２２０を経由して行うものであったり、マイコン２２０にも指示を行う実施の形態であっても構わない。
【００９０】
以上の処理が終わると、ＯＳ２２４がユーザに対して、ＣＤドライブ１１４は利用不能な状態になったことを通知するが、この通知は必ずしも行われない実施の形態でも構わない。
【００９１】
又、ＯＳ２２４やＢＩＯＳ２２２やこれらを含むソフトウエア２３０は、このＣＤドライブ１１４が最初から装着されていないものとして登録してあらゆる処理を実行する。
【００９２】
従って、例えば本体電源スイッチ１１２がオンされた時の、ノート型パソコン１００自体のパワーオン・シーケンスにおいて、ＣＤドライブ１１４の接続状況を確認したり、その接続やファイルシステムの正当性を確認したりすることによって生じる無駄な時間やアクセスが発生することなく、ノート型パソコン１００自体の立ち上げをスムーズに行うことができる。
【００９３】
又、後述するように、実質的なパワーオフ・シーケンスを実行するか否かの判断条件に、一定時間アクセスが行われていないことを含める時、ノート型パソコン１００自体のパワーオン・シーケンスにおいて行われるファイルシステムの正当性を確認するためのアクセスによって、実質的なパワーオフ・シーケンスが開始されないという欠陥も生じない。
【００９４】
以上の一連の処理によって、このノート型パソコン１００の本体電源スイッチ１１２がオンされた時の処理シーケンスで、或いはその後の処理シーケンスで、このエコスイッチ１２０がオフされた、或いはオフされていた時の、ＣＤドライブ１１４のパワーオフ・シーケンスが完了する（Ｓ４１３）。
【００９５】
（第二の実施の形態）
以上説明した本発明の第一の実施の形態では、実質的なＣＤドライブ１１４のパワーオン・シーケンス或いはＣＤドライブ１１４のパワーオフ・シーケンスを開始するか否かの判断（図３のＳ３１１と図４のＳ４１１）において、ＣＤドライブ１１４のその時点における電源オンオフ状態だけを確認したが、本発明の第二の実施の形態ではそれに加えて、ＣＤドライブ１１４が着脱可能な記録媒体を有している時、ＣＤドライブ１１４にその着脱可能な記録媒体（図２のＣＤ記録メディア１１６）が装着されているか否かの確認を行う。
【００９６】
それ以外については、本発明の第二の実施の形態は本発明の第一の実施の形態と全く同じであるから説明は省略し、この異なる部分についてのみ説明を行う。
【００９７】
本発明の第二の実施の形態のＣＤドライブ１１４のパワーオン・シーケンスの主な処理の流れを図５に示す。
【００９８】
図５のＳ５０１からＳ５１１までとＳ５１３とは、図３に示す本発明の第一の実施の形態におけるＳ３０１からＳ３１１とＳ３１３と実質的に同じであるから説明を省略する。
【００９９】
本発明の第二の実施の形態のＣＤドライブ１１４のパワーオン・シーケンスでは、ＣＤドライブ１１４の電源がオフ状態であった時（Ｓ５１１でＯＦＦ）、次にアプリケーション・ソフトウエアがデバイス・ドライバにアクセスし、ＣＤドライブ１１４の着脱可能なＣＤ記録メディア１１６がＣＤドライブ１１４に装着されているか否かの確認を行う（Ｓ５１５）。
【０１００】
そしてこの確認において、ＣＤドライブ１１４の着脱可能なＣＤ記録メディア１１６がＣＤドライブ１１４に装着がされていないことが解ると（Ｓ５１７でＮｏ）、本発明の第二の実施の形態のＣＤドライブ１１４のパワーオン・シーケンスは実質的なパワーオン・シーケンスは何も行わずに終了する（Ｓ５１３）。
【０１０１】
そしてこの本発明の第二の実施の形態のＣＤドライブ１１４のパワーオン・シーケンスでは、ＣＤドライブ１１４の着脱可能なＣＤ記録メディア１１６がＣＤドライブ１１４に装着されている時にのみ（Ｓ５１７でＹｅｓ）、アプリケーション・ソフトウエアは装着状態をＢＩＯＳ２２２に通知し（Ｓ５１８）、その後、実質的なパワーオン・シーケンスが実行される（Ｓ５１９）。
【０１０２】
但し、このＣＤドライブ１１４の電源オンオフ状態の確認（Ｓ５０９、Ｓ５１１）と、ＣＤ記録メディア１１６の装着状態の確認（Ｓ５１５、Ｓ５１７）とは、必ずしもこの順番に行われることは必要でなく、逆の順番に行われても構わない。
【０１０３】
この本発明の第二の実施の形態の実質的なパワーオン・シーケンス（Ｓ５１９）は、本発明の第一の実施の形態の実質的なパワーオン・シーケンスである図３のＳ３１５からＳ３２５と同等であるから説明は省略する。
【０１０４】
又、上記説明した本発明の第一の実施の形態では、実質的なＣＤドライブ１１４のパワーオフ・シーケンスを開始するか否かの判断（図４のＳ４１１）において、ＣＤドライブ１１４のその時点における電源オンオフ状態だけを確認したが、本発明の第二の実施の形態ではそれに加えて、ＣＤドライブ１１４が着脱可能な記録媒体を有している時、ＣＤドライブ１１４にその着脱可能な記録媒体（図２のＣＤ記録メディア１１６）が装着されているか否かの確認を行う。
【０１０５】
それ以外については、本発明の第二の実施の形態のＣＤドライブ１１４のパワーオフ・シーケンスは本発明の第一の実施の形態と全く同じであるから説明は省略し、この異なる部分についてのみ説明を行う。
【０１０６】
本発明の第二の実施の形態のＣＤドライブ１１４のパワーオフ・シーケンスの主な処理の流れを図６に示す。
【０１０７】
図６のＳ６０１からＳ６１１までとＳ６１３とは、図４に示す本発明の第一の実施の形態におけるＳ４０１からＳ４１１とＳ４１３と実質的に同じであるから説明を省略する。
【０１０８】
本発明の第二の実施の形態のＣＤドライブ１１４のパワーオフ・シーケンスでは、ＣＤドライブ１１４の電源がオン状態であった時（Ｓ６１１でＯＮ）、次にアプリケーション・ソフトウエアがデバイス・ドライバにアクセスし、ＣＤドライブ１１４の着脱可能なＣＤ記録メディア１１６がＣＤドライブ１１４に装着されているか否かの確認を行う（Ｓ６１５）。
【０１０９】
そしてこの確認において、ＣＤドライブ１１４の着脱可能なＣＤ記録メディア１１６がＣＤドライブ１１４に装着がされていることが解ると（Ｓ６１７でＹｅｓ）、本発明の第二の実施の形態のＣＤドライブ１１４のパワーオフ・シーケンスは実質的なパワーオフ・シーケンスは何も行わずに終了する（Ｓ６１３）。
【０１１０】
そしてこの本発明の第二の実施の形態のＣＤドライブ１１４のパワーオフ・シーケンスでは、ＣＤドライブ１１４の着脱可能なＣＤ記録メディア１１６がＣＤドライブ１１４に装着されていない時にのみ（Ｓ６１７でＮｏ）、アプリケーション・ソフトウエアは非装着状態をＢＩＯＳ２２２に通知し（Ｓ６１８）、その後、実質的なパワーオフ・シーケンスが実行される（Ｓ６１９）。
【０１１１】
但し、このＣＤドライブ１１４の電源オンオフ状態の確認（Ｓ６０９、Ｓ６１１）と、ＣＤ記録メディア１１６の装着状態の確認（Ｓ６１５、Ｓ６１７）とは、必ずしもこの順番に行われることは必要でなく、逆の順番に行われても構わない。
【０１１２】
この本発明の第二の実施の形態の実質的なパワーオフ・シーケンス（Ｓ６１９）は、本発明の第一の実施の形態の実質的なパワーオフ・シーケンスである図４のＳ４１５からＳ４２５と同等であるから説明は省略する。
【０１１３】
（第三の実施の形態）
以上説明した本発明の第一の実施の形態では、実質的なＣＤドライブ１１４のパワーオン・シーケンス或いはＣＤドライブ１１４のパワーオフ・シーケンスを開始するか否かの判断（図３のＳ３１１と図４のＳ４１１）において、ＣＤドライブ１１４のその時点における電源オンオフ状態だけを確認し、本発明の第二の実施の形態ではそれに加えて、ＣＤドライブ１１４が着脱可能な記録媒体を有している時、ＣＤドライブ１１４にその着脱可能な記録媒体（図２のＣＤ記録メディア１１６）が装着されているか否かの確認を行った。
【０１１４】
本発明の第三の実施の形態では、実質的なＣＤドライブ１１４のパワーオン・シーケンス或いはＣＤドライブ１１４のパワーオフ・シーケンスを開始するか否かの判断（図３のＳ３１１と図４のＳ４１１と図５のＳ５１１と図６のＳ６１１）において、これらの条件に加えてＣＤドライブ１１４に対して一定時間アクセスが行われていないことを確認し、このＣＤドライブ１１４に対して一定時間アクセスが行われていないという条件が満たされる時にのみ、実質的なＣＤドライブ１１４のパワーオフ・シーケンスを開始する。
【０１１５】
これ以外については、本発明の第三の実施の形態は本発明の第一の実施の形態、或いは本発明の第二の実施の形態と実質的に同じであるから説明は省略する。
【０１１６】
（第四の実施の形態）
以上説明した本発明の第一の実施の形態では、実質的なＣＤドライブ１１４のパワーオン・シーケンス或いはＣＤドライブ１１４のパワーオフ・シーケンスを開始するか否かの判断（図３のＳ３１１と図４のＳ４１１）において、ＣＤドライブ１１４のその時点における電源オンオフ状態だけを確認し、本発明の第二の実施の形態ではそれに加えて、ＣＤドライブ１１４が着脱可能な記録媒体を有している時、ＣＤドライブ１１４にその着脱可能な記録媒体（図２のＣＤ記録メディア１１６）が装着されているか否かを確認し、本発明の第三の実施の形態ではそれに加えて、ＣＤドライブ１１４に対して一定時間アクセスが行われていないことの確認を行った。
【０１１７】
本発明の第四の実施の形態では、実質的なＣＤドライブ１１４のパワーオン・シーケンス或いはＣＤドライブ１１４のパワーオフ・シーケンスを開始するか否かの判断（図３のＳ３１１と図４のＳ４１１と図５のＳ５１１と図６のＳ６１１）において、これらの条件に加えてＣＤドライブ１１４のＣＤ記録メディア１１６の着脱部の状態、例えば着脱部の蓋やカバーの開閉状態や、挿入・突出状態等、ＣＤ記録メディア１１６がすぐに着脱可能な状態にあるかの確認を行う。
【０１１８】
そして、例えば蓋が閉じた状態であったり、スライド式の装着部のケースでは装着部が挿入された状態であって、すぐに着脱できない状態の時にのみ、実質的なＣＤドライブ１１４のパワーオフ・シーケンスを開始する。
【０１１９】
しかしながらこれは一例であって、例えば逆にすぐに着脱可能な状態の時にのみ、実質的なＣＤドライブ１１４のパワーオフ・シーケンスを開始する実施の形態であっても構わない。
【０１２０】
これ以外については、本発明の第四の実施の形態は本発明の第一の実施の形態、或いは本発明の第二の実施の形態、或いは本発明の第三の実施の形態と実質的に同じであるから説明は省略する。
【０１２１】
（第五の実施の形態）
本発明の第一の実施の形態では、実質的なＣＤドライブ１１４のパワーオン／オフ・シーケンスを開始する条件として、エコスイッチ１２０の状態とその時点におけるＣＤドライブ１１４の電源オンオフ状態を使用した。
【０１２２】
本発明の第二の実施の形態では、実質的なＣＤドライブ１１４のパワーオン／オフ・シーケンスを開始する条件として、上記条件に加えてＣＤドライブ１１４の着脱可能なＣＤ記録メディア１１６がＣＤドライブ１１４に装着されているか否かを使用した。
【０１２３】
本発明の第三の実施の形態では、実質的なＣＤドライブ１１４のパワーオン／オフ・シーケンスを開始する条件として、上記条件に加えてＣＤドライブ１１４に対して一定時間継続してアクセスが行われていないことを使用した。
【０１２４】
本発明の第四の実施の形態では、実質的なＣＤドライブ１１４のパワーオン／オフ・シーケンスを開始する条件として、上記条件に加えてＣＤドライブ１１４のＣＤ記録メディア１１６の着脱部の状態、例えば着脱部の蓋やカバーの開閉状態や、挿入・突出状態等、ＣＤ記録メディア１１６がすぐに着脱可能な状態にあるか否かを使用した。
【０１２５】
本発明の第五の実施の形態では、実質的なＣＤドライブ１１４のパワーオン／オフ・シーケンスを開始する条件として、上記各条件の任意の組み合わせ、例えばエコスイッチ１２０の状態だけ、或いはＣＤドライブ１１４の着脱可能なＣＤ記録メディア１１６がＣＤドライブ１１４に装着されているか否かだけ、或いはその時点におけるＣＤドライブ１１４の電源オンオフ状態だけ、或いはＣＤドライブ１１４に対して一定時間継続してアクセスが行われていないことだけ、ＣＤ記録メディア１１６の着脱部の状態だけ、或いは、例えばエコスイッチ１２０の状態とＣＤドライブ１１４に対して一定時間継続してアクセスが行われていないことや、ＣＤ記録メディア１１６の着脱部の状態や、その他の、２つ或いは３つ或いは４つ、或いはそれ以上の個数の条件のあらゆる組み合わせを使用する。
【０１２６】
それ以外については、本発明の第五の実施の形態は本発明の第一、第二、第三、第四の実施の形態と全く同じであるから説明は省略する。
【産業上の利用可能性】
【０１２７】
以上説明したように本特許出願に係る発明によれば、記録部に対してアクセスが行われない時、その記録部自身の電源だけでなく、その記録部に対するアクセスのために使用される部分の電源をも遮断することによって、省電力効果をより一層向上させることができる。
【０１２８】
又、オペレーティングシステムやデバイスドライバ等のソフトウエアも、この記録部の接続そのものがないものとして処理するため、不必要な電源投入時の設定処理等を行うことがなく、本体電源投入時の立ち上げ時間を短縮することができる。
【０１２９】
更に又、ユーザが予め何の操作をしなかったとしても、自動的に記録部に記録媒体が装着されていない時や、一定時間アクセスが行われない時には、記録部と記録部に対するアクセスのために使用される部分の電源をも完全に遮断し、省電力化をより確実なものとすることができる。
【０１３０】
従って本発明の産業上の利用可能性は極めて大きい。
【図面の簡単な説明】
【０１３１】
【図１】本発明の第一の実施の形態であるノート型パソコン１００の主要部の斜視図
【図２】本発明の第一の実施の形態であるノート型パソコン１００の主要部の回路図
【図３】本発明の第一の実施の形態であるノート型パソコン１００のＣＤドライブ１１４のパワーオン・シーケンスを示す図
【図４】本発明の第一の実施の形態であるノート型パソコン１００のＣＤドライブ１１４のパワーオフ・シーケンスを示す図
【図５】本発明の第二の実施の形態であるノート型パソコン１００のＣＤドライブ１１４のパワーオン・シーケンスを示す図
【図６】本発明の第二の実施の形態であるノート型パソコン１００のＣＤドライブ１１４のパワーオフ・シーケンスを示す図
【図７】従来の電源制御機能を有する情報処理装置の一例であるパーソナルコンピュータの初期処理の流れを示すフローチャート
【符号の説明】
【０１３２】
１００    ノート型パソコン
１０２    本体筐体
１０４    表示パネル
１０６    キーボード
１０８    表示部筐体
１１２    本体電源スイッチ
１１４    ＣＤドライブ
１１６    ＣＤ記録メディア
１１８    ＣＤドライブ開放スイッチ
１２０    エコスイッチ
２２０    マイコン
２２２    ＢＩＯＳ
２２４    ＯＳ
２２６    Ｉ／Ｏコントローラ
２２７    レジスタ
２２８    ＣＤドライブインターフェース
２２９    駆動回路
２３０    ソフトウエア
２５０，２５１，２５２，２５３，２５４    信号線
２５５    ＣＤＩＲＱＯＮ信号
２５６    ＣＤＲＳＴ信号
２６０    第二の電源部
【図１】
2005208966.tif 000003
【図２】
2005208966.tif 000004
【図３】
2005208966.tif 000005
【図４】
2005208966.tif 000006
【図５】
2005208966.tif 000007
【図６】
2005208966.tif 000008
【図７】
2005208966.tif 000009